(57)【要約】【課題】より簡便で低コストに製造することのできる、風雨や光に対する耐久性に優れた光学的読み取り情報を備える印刷物を提供すること。また、前記の印刷物を複数枚含む印刷物セット及び印刷物セットの製造方法を提供すること。【解決手段】２０．０ｇ／ｍ2〜１２０．０ｇ／ｍ2の坪量及び０．０２０ｍｍ〜０．４００ｍｍの厚みを有する不織布基材と、該基材上にインクジェット方式で紫外線硬化インクを用いて印刷することにより形成された光学的読み取り情報を備えることを特徴とする印刷物。【選択図】図１
2010214636.tif 000002
【特許請求の範囲】
【請求項１】
２０．０ｇ／ｍ2〜１２０．０ｇ／ｍ2の坪量及び０．０２０ｍｍ〜０．４００ｍｍの厚みを有する不織布基材と、該基材上にインクジェット方式で紫外線硬化インクを用いて印刷することにより形成された光学的読み取り情報を備えることを特徴とする印刷物。
【請求項２】
不織布基材が３．０Ｎ〜３５．０Ｎの引裂き強さを有する請求項１記載の印刷物。
【請求項３】
インクジェット方式で紫外線硬化インクを用いて印刷することにより基材上に形成された視覚により識別される情報をさらに備える請求項１又は２記載の印刷物。
【請求項４】
インクジェット方式で紫外線硬化インクを用いて印刷することにより基材上に形成された触覚により識別される情報をさらに備える請求項１〜３のいずれか１項記載の印刷物。
【請求項５】
個体の識別標識である請求項１〜４のいずれか１項記載の印刷物。
【請求項６】
個体の識別標識がゼッケンである請求項１〜５のいずれか１項記載の印刷物。
【請求項７】
請求項１〜６のいずれか１項記載の印刷物を複数枚含む印刷物セットであって、セット内の各々の印刷物が、互いに異なった情報を示す光学的読み取り情報と、セット内の全ての印刷物に共通の視覚により識別される情報とを備えることを特徴とする前記印刷物セット。
【請求項８】
互いに異なった情報を示す光学的読み取り情報がそれぞれの印刷された複数の印刷物から構成される印刷物セットの製造方法であって、
前記互いに異なった情報の一を入力するステップと、
前記入力された情報を、該入力された情報に対応する光学的読み取り情報を生成するための信号に変換するステップと、
前記信号を印刷手段に送信するステップと、
前記信号に基づいて、前記光学的読み取り情報を、紫外線硬化インクを用いて、２０．０ｇ／ｍ2〜１２０．０ｇ／ｍ2の坪量及び０．０２０ｍｍ〜０．４００ｍｍの厚みを有する不織布基材上にインクジェット方式で印刷するステップ、
を含むことを特徴とする印刷物セットの製造方法。
【発明の詳細な説明】
【技術分野】
【０００１】
本発明は、不織布基材と、該基材上に光学的読み取り情報又はこれに加えて視覚により識別される情報などを備えた、マラソンのゼッケンなどとして好適に使用できる印刷物に関する。
【背景技術】
【０００２】
近年、市民マラソン大会やスキー大会が健康ブームなどから盛況になっており、多くの市民が参加している。このような大会では、大会名及び競技者番号を明示したゼッケンを参加者に配布し、競技当日に着用させているが、競技者番号はゼッケン毎に異なるため、大会名を印刷したゼッケンに一枚一枚競技者番号を手作業によりプリントしているのが実状であり、作業負荷とコスト増の問題が生じている。さらに、近年では、参加者の血液型や病歴などを事前に登録しておき、競技の途中で怪我や事故に遭遇した時に、迅速に対処しようとの要望が持ち上がっている。ところが、近年の個人情報の取り扱いについての関心の向上により、そのような個人情報が他人に容易に漏洩することなく、必要な時に迅速に取り出せるように、各自のゼッケンにそのような情報を組み込んでおくことが理想であると考えられるが、このような手段は未だ解決されていない。
さらには、目の不自由な参加者のために、点字をゼッケンに設けることも要望されているが、点字のような触覚により識別される情報を有するゼッケンを簡易かつ迅速に製造できる技術は未だ開発されていない。
【０００３】
一方、インクジェットは、デジタルデータに基づいてインクを対象物に飛翔させて画像を形成する技術であり、高速・多色化・低騒音などの利点を有するため出版物やポスターなどに広く普及している。インクジェット方式による画像の形成は、オフセット印刷のように版下を作製する必要がなく、複写機やレーザープリンターなどで使用されている電子写真方式のような加熱定着処理も不要で、使用されるプリンタも機構が単純であるという特長をもつ。また、従来のオフセット印刷では、各々の印刷物の全てに共通の情報を先ず初めに印刷し、その後に、各々の印刷物で互いに異なった情報を手作業等で一つ一つ印刷していくことが必要であるのに対して、インクジェット方式で印刷することにより全ての印刷物に共通する情報と各々互いに異なった情報との両方を同時に印刷することが可能となるといった利点がある。
【０００４】
インクジェット方式によって画像が形成される印刷物の基材としては、紙が一般的に用いられるが、印刷物が比較的過酷な条件下で使用される場合、例えば、印刷物が屋外で使用される場合等には風雨や光に対する耐候性を有する基材を用いる必要がある。このような基材として、軽量・柔軟性といった特徴を持ち合わせた不織布が提案されている（例えば、特許文献１）。
一方、印刷物に、バーコード、ＱＲコード、Data Matrix、PDF417、Maxi Code、Veri Code等の二次元コード等の光学的読み取り情報を備えさせることによって、光学的手段によって読み取ることが好ましい情報をコード化して各々の印刷物を識別することできることも知られている。
【０００５】
特許文献２は、磁気インクを使用し、文字・図形・記号等のブランドネーム・マークで刺繍、又は織ネームを応用し正規ブランドと偽造ブランドの識別を行うことを特徴としたブランドの識別方法を開示するが、不織布基材上にインクジェット方式を用いて印刷することにより形成された光学的読み取り情報を備える印刷物は開示していない。
特許文献３は、布帛に文字あるいは画像あるいは識別マーク等の情報を記録するための染料を主体とするインクによるインクジェット染色における基本的なプロセス、すなわち、（１）布帛に滲み防止処理を施す。（２）インクジェットプリンター等を用いて染料を主体とするインクで仮画像を形成する染料を布帛の繊維内に浸透・拡散せしめて染着せしめる。（３）加熱処理等によって仮画像を形成する染料を布帛の繊維内に浸透・拡散せしめて染着せしめる。（４）還元洗浄等により過剰の染料を除去する、のプロセス中、（３）の加熱処理における種々の問題点を解決することを目的とするものである。すなわち、特許文献３は、上記の（３）の加熱処理における種々の問題点を、染料を主体とするインクによって織物または編み物または不織布（Ａ）上に文字あるいは画像あるいは識別マーク等の画像を仮形成せしめた後、少なくとも該織物または編み物または不織布（Ａ）の画像形成面に織物または編み物または不織布または紙（Ｂ）を重ね、加熱処理によって上記仮画像を形成する染料を前記織物または編み物または不織布（Ａ）を構成する繊維内に浸透・拡散せしめて染着せしめることを特徴とする情報布帛の製造方法を開示する。しかしながら、特許文献３の情報布帛の製造方法で採用される染料を主体とするインクによる印刷は、上記のとおり、複数の煩雑な工程を必要とし、コストや多くの技術的不都合を伴う。また、加熱処理後、洗浄工程をともない廃液を流出する染料インク方式は、環境保護の観点で不都合である。
【０００６】
これまでのところ、市民マラソン大会などで用いるゼッケンなどに有用で、大会名などのように各ゼッケンに共通する情報と、競技者番号などのように各ゼッケンごとに異なる情報を有し、かつ競技者の個人情報などを１枚のゼッケンに簡易かつ効率的に印刷できる技術は未だ開発されていない。
【先行技術文献】
【特許文献】
【０００７】
【特許文献１】特開平８−１８７９３３公報
【特許文献２】特開２００４−３３４１４４公報
【特許文献３】特開平５−２４７８３８公報
【発明の概要】
【発明が解決しようとする課題】
【０００８】
本発明は、各印刷物ごとに異なる情報を光学的読み取り可能に印刷し、印刷された光学的読み取り情報を精度良く読み取れ、かつ耐久性に優れ、簡便で低コストで製造できる印刷物を提供することを目的とする。
本発明は、各印刷物ごとに共通する触覚により識別される情報と、各印刷物ごとに異なる光学的読み取り可能な情報を有する印刷物を提供することを目的とする。
本発明は、各印刷物ごとに共通する触覚により識別される情報と、各印刷物ごとに異なる光学的読み取り可能な情報と各印刷物ごとに異なる触覚により識別できる情報を有する印刷物を提供することを目的とする。
本発明は、上記の印刷物を簡便で低コストで製造できる方法を提供することを目的とする。
【課題を解決するための手段】
【０００９】
本発明者は、特定の不織布基材に紫外線硬化インクを用いてインクジェット方式により光学的読み取り情報を印刷すると、極めて鮮明に光学的読み取り情報を印刷することができ、これにより光学的読み取り精度が向上し、上記課題を解決できるとの知見に基づいて、本発明を完成させた。
【００１０】
すなわち、本発明は、２０．０ｇ／ｍ2〜１２０．０ｇ／ｍ2の坪量及び０．０２０ｍｍ〜０．４００ｍｍの厚みを有する不織布基材と、該基材上にインクジェット方式で紫外線硬化インクを用いて印刷することにより形成された光学的読み取り情報を備えることを特徴とする印刷物を提供する。
また、本発明は、前記の印刷物を複数枚含む印刷物セットであって、セット内の各々の印刷物が、互いに異なった情報を示す光学的読み取り情報と、セット内の全ての印刷物に共通の視覚により識別される情報とを備えることを特徴とする前記印刷物セットを提供する。
さらに、本発明は、互いに異なった情報を示す光学的読み取り情報がそれぞれの印刷された複数の印刷物から構成される印刷物セットの製造方法であって、
前記互いに異なった情報の一を入力するステップと、
前記入力された情報を、該入力された情報に対応する光学的読み取り情報を生成するための信号に変換するステップと、
前記信号を印刷手段に送信するステップと、
前記信号に基づいて、前記光学的読み取り情報を、紫外線硬化インクを用いて、２０．０ｇ／ｍ2〜１２０．０ｇ／ｍ2の坪量及び０．０２０ｍｍ〜０．４００ｍｍの厚みを有する不織布基材上にインクジェット方式で印刷するステップ、
を含むことを特徴とする印刷物セットの製造方法を提供する。
【発明の効果】
【００１１】
本発明によって、より簡便で低コストに製造できる、風雨や光に対する耐久性に優れた光学的読み取り情報を備える印刷物を提供することができる。特に、不織布と紫外線硬化インクとを組合せることによって、印刷物に極めて鮮明な光学的読み取り情報を備えさせることが可能となり、光学的手段による読み取りの際のエラーの発生を防ぐことができる。また、本発明によって、光学的手段によって読み取ることが好ましい情報がコード化されて印刷された印刷物を提供することが可能となり、個人情報等の管理が必要な情報を含む簡便な印刷物を提供することができる。加えて、印刷物を複数枚含む印刷物セットであって、セット内の各々の印刷物が、互いに異なった情報を示す光学的読み取り情報と、セット内の全ての印刷物に共通の視覚により識別される情報とを備える印刷物セットを、煩雑な工程を必要とせずに簡便に製造することができる。さらには、廃液処理の観点から、染料インク方式等に比べて、紫外線硬化インクの環境負荷は小さい。
【図面の簡単な説明】
【００１２】
【図１】本発明の実施形態のゼッケン１を示す図面である。
【図２】図２は、参加者番号（個人識別情報）と関連付けて記憶したデータベースの例を示す。
【図３】図３は、Ｅ．Ｉ．デュポン製Ｔｙｖｅｋ（登録商標）不織布（品番１０５６Ｄ）とＥ．Ｉ．デュポン製インクジェットプリンタ用ＵＶインク：SD-108を用いて作製したゼッケンのバーコードおよびＱＲコード（登録商標）部分の拡大写真を示す。
【図４】図４は、Ｅ．Ｉ．デュポン製Ｔｙｖｅｋ（登録商標）不織布（品番１０５６Ｄ）と紫外線硬化型ではない市販インク（キヤノン社製:PIXUS455iプリンター用インク：品番ＢＣＩ−２４カラー及びＢＣＩ−２４黒）を用いて作製したゼッケンのバーコートおよびＱＲコード（登録商法）部分の拡大写真を示す。
【発明を実施するための形態】
【００１３】
本発明では、２０．０ｇ／ｍ2〜１２０．０ｇ／ｍ2の坪量及び０．０２０ｍｍ〜０．４００ｍｍの厚みを有する不織布を印刷を施すための基材として使用する。ここで、不織布の「坪量」（ｇ／ｍ2）は、JIS-L1096に準拠して測定することができる。又、不織布の「厚み」（ｍｍ）は、JIS-L1096に準拠して測定することができる。
本発明で使用する上記特性の不織布は、セルロース、絹などの親水性繊維、ポリオレフィン（ポリエチレン、ポリプロピレン等）などの疎水性繊維、又はこれらの混合繊維を用いて、かつバインダーを用い又は用いずに、常法により製造することができる。これらのうち、ポリエチレン繊維を用いて製造したものを用いるのが好ましい。
本発明で用いる不織布としては、坪量が３０．０ｇ／ｍ2〜１００．０ｇ／ｍ2であるのが好ましく、より好ましくは３０．０ｇ／ｍ2〜８０．０ｇ／ｍ2であり、さらにより好ましくは３５．０ｇ／ｍ2〜７０．０ｇ／ｍ2であり、最も好ましくは３８．０ｇ／ｍ2〜６０．０ｇ／ｍ2である。ここで坪量は、ＪＩＳ−Ｌ１０９６の６．試験方法６．３によって調製した試料から２０ｘ２０ｃｍの試験片を３枚採取し、それぞれの絶乾質量（ｇ）を量り、指定の式によって正量を求め、その平均値を１ｍ2当りの質量（ｇ/ｍ2）で示す。
本発明で用いる不織布の厚みは、０．０５０ｍｍ〜０．３５０ｍｍであるのが好ましく、より好ましくは０．０６０ｍｍ〜０．３００ｍｍであり、最も好ましくは０．０７０ｍｍ〜０．２５０ｍｍである。厚みは、ＪＩＳ−Ｌ１０９６に準拠した測定法を用い、調整された試料の異なる５ヶ所について厚さ測定器を用いて、一定時間初荷重の下で厚さ（ｍｍ）を計り、その平均値として求められる。）。
本発明で用いる不織布としては、引裂き強さが３．０Ｎ〜３５．０Ｎであるのが好ましく、より好ましくは４．０Ｎ〜３０．０Ｎであり、最も好ましくは４．５Ｎ〜２５．０Ｎである。例えば、ゼッケン等として用いられる場合には、印刷物をクリップ等で留めても、そこが起点となって裂けないことが求められるため、不織布の引き裂き強度が高いことが求めらる。ここで、不織布の「引裂き強さ」（Ｎ）は、JIS-P8116に準拠して測定することができる。
本発明で用いる不織布としては、引張り強さが３０Ｎ／５ｃｍ〜１０００Ｎ／５ｃｍであるのが好ましく、より好ましくは４０Ｎ／５ｃｍ〜５００Ｎ／５ｃｍであり、最も好ましくは７０Ｎ／５ｃｍ〜３５０Ｎ／５ｃｍである。ここで、不織布の「引張り強さ」（Ｎ／５ｃｍ）は、JIS-L1096に準拠して測定することができる。
本発明で用いる不織布としては、破裂強さが１００ｋＰａ〜２５００ｋＰａであるのが好ましく、より好ましくは２００ｋＰａ〜１５００ｋＰａであり、最も好ましくは３００ｋＰａ〜９００ｋＰａである。不織布の破裂強さは、JIS-P8112に準拠して測定することができる。
【００１４】
本発明では、上記不織布基材上に、インクジェット方式で紫外線硬化インクを用いて光学的読み取り情報を印刷する。本発明で用いられる「紫外線硬化インク」とは、活性放射線である紫外線の照射により硬化可能なインクであればどのようなものであってもよい。例えば特開２００８−２８０４２７号公報、特開２００７−２３１０８２号公報、特開２００８−８１５１６号公報及び特開２００８−２２３０１４号公報に開示される紫外線硬化インクを用いることができる。鮮明な光学的読み取り情報を形成させるために特にアクリルエステル系の紫外線硬化インクが好ましい。アクリルエステル系の紫外線硬化インクとしては、該インク中のアクリルエステル類の含量が約３０質量％〜約４５質量％のものが特に好ましく、例えば、Ｅ．Ｉ．デュポン社製ＵＶインク「SD-108」や「SD-111」等が挙げられるが、これらに限定されない。
【００１５】
本発明で用いられる紫外線硬化インク組成物は重合開始剤を含有するのがよい。重合開始剤としては、公知の重合開始剤を使用することができ、特に、本発明においては、ラジカル重合開始剤を用いることが好ましい。本発明の紫外線硬化インク組成物に使用する重合開始剤は、外部エネルギーである紫外線を吸収して重合開始種を生成する化合物である。
本発明で用いられる好ましいラジカル重合開始剤としては、芳香族ケトン類、アシルホスフィン化合物、芳香族オニウム塩化合物、有機過酸化物、チオ化合物、ヘキサアリールビイミダゾール化合物、ケトオキシムエステル化合物、ボレート化合物、アジニウム化合物、メタロセン化合物、活性エステル化合物、炭素ハロゲン結合を有する化合物、アルキルアミン化合物等が挙げられる。
本発明における重合開始剤は、単独で用いてもよいし２種以上を併用してもよく、紫外線硬化インク組成物１００質量部に対して、好ましくは０．０１〜３０質量部、より好ましくは０．１〜２０質量部、更に好ましくは０．５〜１０質量部の範囲で用いるのがよい。
【００１６】
本発明で用いられる紫外線硬化インク組成物に含有させるラジカル重合性化合物は、ラジカル重合可能なエチレン性不飽和結合を有する化合物であり、分子中にラジカル重合可能なエチレン性不飽和結合を少なくとも１つ有する化合物であればよく、モノマー、オリゴマー、ポリマー等のいずれであってもよい。また、ラジカル重合性化合物は単独で用いてもよいし２種以上を併用してもよい。
ラジカル重合可能なエチレン性不飽和結合を有する重合性化合物の例としては、アクリル酸、メタクリル酸、イタコン酸、クロトン酸、イソクロトン酸、マレイン酸等の不飽和カルボン酸及びそれらの塩、エチレン性不飽和基を有する無水物、アクリロニトリル、スチレン、更に種々の不飽和ポリエステル、不飽和ポリエーテル、不飽和ポリアミド、不飽和ウレタン等のラジカル重合性化合物が挙げられる。
具体的には、２−エチルヘキシルアクリレート、２−ヒドロキシエチルアクリレート、ブトキシエチルアクリレート、カルビトールアクリレート、シクロヘキシルアクリレート、テトラヒドロフルフリルアクリレート、ベンジルアクリレート、ビス（４−アクリロキシポリエトキシフェニル）プロパン、ネオペンチルグリコールジアクリレート、ジエチレングリコールジアクリレート、トリエチレングリコールジアクリレート、テトラエチレングリコールジアクリレート、ポリエチレングリコールジアクリレート、ポリプロピレングリコールジアクリレート、ペンタエリスリトールトリアクリレート、ペンタエリスリトールテトラアクリレート、ジペンタエリスリトールテトラアクリレート、トリメチロールプロパントリアクリレート、テトラメチロールメタンテトラアクリレート、オリゴエステルアクリレート、Ｎ−メチロールアクリルアミド、ジアセトンアクリルアミド、エポキシアクリレート等のアクリル酸誘導体、メチルメタクリレート、ｎ−ブチルメタクリレート、２−エチルヘキシルメタクリレート、ラウリルメタクリレート、アリルメタクリレート、グリシジルメタクリレート、ベンジルメタクリレート、ジメチルアミノメチルメタクリレート、１，６−ヘキサンジオールジメタクリレート、エチレングリコールジメタクリレート、トリエチレングリコールジメタクリレート、ポリエチレングリコールジメタクリレート、ポリプロピレングリコールジメタクリレート、トリメチロールエタントリメタクリレート、トリメチロールプロパントリメタクリレート、２，２−ビス（４−メタクリロキシポリエトキシフェニル）プロパン等のメタクリル酸誘導体、アリルグリシジルエーテル、時アリルフタレート、トリアリルトリメリテート等のアリル化合物の誘導体が挙げられる。アクリルエステル系の化合物を用いるのが特に好ましい。
本発明で用いられる紫外線硬化インク組成物中のラジカル重合性化合物の総含有量は、紫外線硬化インク組成物全体の質量に対し、１質量％〜９７質量％であるのがよく、より好ましくは３０質量％〜９５質量％であり、最も好ましくは約３０質量％〜約４５質量％である。
【００１７】
本発明で用いられる紫外線硬化インク組成物を用いて着色画像を形成しようとするときは、着色剤を含有させることができる。着色剤としては特に制限はなく、用途に応じて公知の種々の色剤（顔料、染料）を適宜選択して用いることができる。耐候性の観点からは顔料が好ましい。
本発明で用いられる紫外線硬化インク組成物に用いることのできる顔料としては、特に限定されるわけではないが、例えばカラーインデックスに記載される下記の番号の有機又は無機顔料が使用できる。
【００１８】
赤或いはマゼンタ顔料としては、Ｐｉｇｍｅｎｔ  Ｒｅｄ  ３、５、１９、２２、３１、３８、４３、４８：１、４８：２、４８：３、４８：４、４８：５、４９：１、５３：１、５７：１、５７：２、５８：４、６３：１、８１、８１：１、８１：２、８１：３、８１：４、８８、１０４、１０８、１１２、１２２、１２３、１４４、１４６、１４９、１６６、１６８、１６９、１７０、１７７、１７８、１７９、１８４、１８５、２０８、２１６、２２６、２５７、Ｐｉｇｍｅｎｔ  Ｖｉｏｌｅｔ  ３、１９、２３、２９、３０、３７、５０、８８、Ｐｉｇｍｅｎｔ  Ｏｒａｎｇｅ  １３、１６、２０、３６、青又はシアン顔料としては、Ｐｉｇｍｅｎｔ  Ｂｌｕｅ  １、１５、１５：１、１５：２、１５：３、１５：４、１５：６、１６、１７−１、２２、２７、２８、２９、３６、６０、緑顔料としては、Ｐｉｇｍｅｎｔ  Ｇｒｅｅｎ  ７、２６、３６、５０、黄顔料としては、Ｐｉｇｍｅｎｔ  Ｙｅｌｌｏｗ  １、３、１２、１３、１４、１７、３４、３５、３７、５５、７４、８１、８３、９３、９４，９５、９７、１０８、１０９、１１０、１３７、１３８、１３９、１５３、１５４、１５５、１５７、１６６、１６７、１６８、１８０、１８５、１９３、黒顔料としては、Ｐｉｇｍｅｎｔ  Ｂｌａｃｋ  ７、２８、２６、白色顔料としては、Ｐｉｇｍｅｎｔ  Ｗｈｉｔｅ  ６，１８，２１などが目的に応じて使用できる。
【００１９】
本発明で用いられる紫外線硬化インク組成物には、重合開始剤の紫外線による分解を促進させるために、増感色素を添加することができる。増感色素は、特定の活性放射線である紫外線を吸収して電子励起状態となる。電子励起状態となった増感色素は、重合開始剤と接触して、電子移動、エネルギー移動、発熱などの作用を生じる。これにより重合開始剤は化学変化を起こして、即ち、分解して、ラジカル、酸、或いは塩基を生成する。
増感色素は、紫外線硬化インク組成物に使用される重合開始剤に開始種を発生させる紫外線の波長に応じた化合物を使用すればよいが、一般的な紫外線硬化インク組成物の硬化反応に使用されることを考慮すれば、好ましい増感色素の例としては、以下の化合物類に属しており、且つ、３５０ｎｍから４５０ｎｍ域に吸収波長を有するものを挙げることができる。
即ち、多核芳香族類（例えば、ピレン、ペリレン、トリフェニレン）、キサンテン類（例えば、フルオレッセイン、エオシン、エリスロシン、ローダミンＢ、ローズベンガル）、シアニン類（例えば、チアカルボシアニン、オキサカルボシアニン）、メロシアニン類（例えば、メロシアニン、カルボメロシアニン）、チアジン類（例えば、チオニン、メチレンブルー、トルイジンブルー）、アクリジン類（例えば、アクリジンオレンジ、クロロフラビン、アクリフラビン）、アントラキノン類（例えば、アントラキノン）、スクアリウム類（例えば、スクアリウム）、クマリン類（例えば、７−ジエチルアミノ−４−メチルクマリン）等が挙げられる。
【００２０】
本発明で用いられる紫外線硬化インク組成物は紫外線硬化型であるので、インク組成物の着弾直後に速やかに反応し、且つ硬化し得るよう、溶剤を含まないことが好ましい。しかし、インク組成物の硬化速度等に影響がない限り、所定の溶剤を含めることができる。溶剤としては、有機溶剤、水が使用できる。特に、有機溶剤は、被記録媒体（不織布、紙などの支持体）との密着性を改良するために添加され得る。
有機溶剤の量は、本発明で用いられる紫外線硬化インク組成物全体の質量に対し、例えば、０．１質量％〜５質量％、好ましくは０．１質量％〜３質量％の範囲である。
この他に、必要に応じて公知の化合物を本発明で用いられる紫外線硬化インク組成物に添加することができる。例えば、界面活性剤、レベリング添加剤、マット剤、膜物性を調整するためのポリエステル系樹脂、ポリウレタン系樹脂、ビニル系樹脂、アクリル系樹脂、ゴム系樹脂、ワックス類等を適宜選択して添加することができる。
【００２１】
紫外線硬化インクを用いて印刷する「光学的読み取り情報」とは、１次元、２次元及び３次元のコード化情報で、例えば、バーコード、ＱＲコード、Data Matrix、PDF417、Maxi Code、Veri Code等の人間は判読（解読）することはできないが専用のリーダを用いることによって内容を判読（解読）可能なものを指す。また、光学的読み取り情報と関連づけされデータベースに記憶される情報の具体的な内容としては、例えば印刷物の使用者本人の氏名、家族の氏名、年齢、住所、性別、電話番号（固定電話、携帯電話）、Ｅメールアドレス、緊急連絡先、国籍、血液型、既往歴、病歴、緊急時における特定の対処薬・治療法、スポーツイベント等のイベント名・レース名及びイベント等の参加中に預けた物の引き渡し番号等が挙げられる。
【００２２】
本発明では、紫外線硬化インクを用いて印刷した光学的読み取り情報に加えて、同じ不織布基材上に、人間が判読可能な情報、即ち視覚により識別される情報をさらに印刷しても良い。この印刷は、インクジェット方式でなくてもよいが、インクジェット方式で紫外線硬化インクを用いて印刷するのが好ましい。このような視覚により識別される情報は特に限定されるものではないが、個人情報保護の観点から視覚により識別されることが好ましくない情報ではないことが好ましく、スポーツイベント等のイベント名・レース名、イベント・レース等のロゴ等、印刷物の使用者の識別番号等及び印刷物の使用者の顔写真等が挙げられる。
【００２３】
本発明では、光学的読み取り情報又はこれと視覚により識別される情報とが印刷された同じ不織布基材上に、さらに触覚により識別される情報を印刷してもよい。この触覚により識別される情報は、インクジェット方式でなくてもよいが、インクジェット方式で紫外線硬化インクを用いて３次元の立体的に印刷するのが好ましい。このような触覚により識別される情報としては、例えば点字等があげられる。
【００２４】
本発明の印刷物の種類は特に限定されないが、個体の識別標識であることが好ましい。個体の識別標識としては、イベント・レース等のゼッケン及びアミューズメントパーク等の入場券等が挙げられるが、これらに限定されるものではない。特に好ましい個体の識別標識はゼッケンである。
【００２５】
本発明の印刷物のセットは、複数枚、すなわち２つ以上の印刷物を含むものであればよい。また、本発明の印刷物のセットは、必ずしも同時にあるいは同日に印刷される必要はなく、同一又は類似のイベント・レース等に関しての印刷物として２つ以上のものであればよい。本発明の印刷物のセットは、セット内の各々の印刷物が、互いに異なった情報を示す光学的読み取り情報と、セット内の全ての印刷物に共通の視覚により識別される情報とを含んでいればよく、セット内の２つ以上の印刷物に共通する光学的読み取り情報を含んでいてもよいし、また、互いに異なった情報を示す視覚により識別される情報を含んでいてもよい。
例えば、マラソン大会等のゼッケンとして使用される場合等には、マラソン大会名やマラソン大会のロゴ等を視覚により印刷物セット内に共通する情報として識別し、同時に、光学的読み取り情報とすることが好ましい個人情報等の情報をセット内の互いに異なった情報を示す光学的読み取り情報として識別することができる。
【００２６】
以下、本発明の実施形態の印刷物の一例であるゼッケンの製造方法について説明する。図１は、本発明の実施形態のゼッケン１を示す図面である。ゼッケン１は、マラソン大会のゼッケンであり、少なくとも参加者の人数と等しい枚数が作成される。
図１に示されているように、ゼッケン１には、マラソン大会の名称２、ゼッケン番号３、バーコード４、およびＱＲコード５が印刷されている。マラソン大会の名称２は、全てのゼッケンに共通であり、ゼッケン番号３、バーコード４，およびＱＲコード５はゼッケン毎に異なっている。
【００２７】
バーコード４、およびＱＲコード５は、データベースに記憶されているゼッケン着用者の住所、氏名、年齢、血液型、既往症等の個人情報に関連づけられ、バーコードリーダーで読み取られることによって、ゼッケン着用者の個人情報を読み出すことができる。
【００２８】
先ず、バーコード作成用のデータを生成する。参加申し込み書等の記入事項から入手した、各参加者の住所、氏名、年齢、血液型、既往症等の個人情報を、例えば図２に示すように、参加者番号（個人識別情報）と関連付けて記憶したデータベースを作成し記憶手段に記憶させる。
次いで、参加者番号と対応付けられたバーコード（光学的読み取り情報）を印刷するためのバーコード信号を、参加者番号毎に生成する。
【００２９】
次に、印刷作業が行われる。Ａｄｏｂｅイラストレーター（登録商標）等のソフトウエアを用い、マラソン大会の名称２を印刷するための信号と、特定の参加者のゼッケン番号３を印刷するための信号、および特定の参加者の参加者番号（個人識別情報）に対応したバーコード４、およびＱＲコード５を印刷するための信号から参加者毎（ゼッケン毎）に合成デジタルデータを作成する。
次いで、このデータをインクジェットプリンタに送信し、上述した不織布の表面に上述した紫外線硬化インクで、マラソン大会の名称２、ゼッケン番号３、バーコード４、およびＱＲコード５を印刷する。
【００３０】
バーコード４、および／またはＱＲコード５に代え、或いはバーコード４、および／またはＱＲコード５に加えて、不織布上に紫外線硬化インクで、点字情報を形成してもよい。
【実施例】
【００３１】
以下に、実施例を挙げて本発明をさらに詳しく説明するが、これらは本発明を限定するものではない。
【００３２】
（実施例１）
以下の要領でマラソン大会用のゼッケンを作製した。
Ｅ．Ｉ．デュポン製Ｔｙｖｅｋ（登録商標）不織布（品番１０５６Ｄ）（坪量範囲：５２．５ｇ／ｍ2〜５７．５ｇ／ｍ2、厚み範囲：０．１１０ｍｍ〜０．２３０ｍｍ、引き裂き強さ範囲：４．８Ｎ／５ｃｍ〜９．８Ｎ／５ｃｍ）を、２４５ｍｍ×２８０ｍｍに切断した。最終ゼッケン形状（２００ｍｍ×４０ｍｍ）をプリンターに付帯した自動カット装置で作製するにあたり、トンボ（仕上がりサイズに断裁するための位置や多色刷りの見当合わせのため、版下の天地・左右の中央と四隅などに付ける目印）部分を形成した。ゼッケンに埋め込む視覚により識別される情報として、マラソン大会の名称、ランナーの番号、写真、氏名（アルファベット表記）を収集した。また、光学的読み取り情報として埋め込む仮想情報として、氏名（漢字表記）、家族の氏名、年齢、住所、性別、電話番号（固定電話番号、携帯電話番号）、緊急連絡先、国籍、血液型、参加レース、既往症、病歴、緊急時における特定の対処薬・治療法、スポーツイベント参加中に預けた物の引渡し番号を収集した。
【００３３】
仮想情報は、参加者の個人識別情報と関連付けられてデータベース化され、ゼッケンに印刷されるバーコードまたはＱＲコード（登録商標）をバーコードリーダーで読み取ることにより、データベースから読み出すことができるように加工した。
【００３４】
これらを１つのイメージに合成したデジタルデータを、Ａｄｏｂｅ（登録商標）イラストレーター（登録商標）を用いて各ランナーごとに作成した。ローランド ディ.ジー.社製Versa UV LEC-300およびアクリルエステル類の含量が約３０質量％〜約４５質量％であるアクリルエステル系のＥ．Ｉ．デュポン製インクジェットプリンタ用ＵＶ硬化インク：SD-108を用いて、不織布に上記デジタルデータを印刷し、各ランナーごとにカスタマイズされたゼッケンを得た。
得られたゼッケンのうちの１つのバーコードおよびＱＲコード（登録商標）部分の拡大写真を図３に示す。図３に示されるとおり、ゼッケンのバーコードおよびＱＲコード（登録商標）の境界はクリアでにじみもなく、容易に光学機器による検出が可能な画像が形成された。また、色調・明度も極めて優れていた。
【００３５】
（実施例２）
不織布として、Ｅ．Ｉ．デュポン製Ｔｙｖｅｋ（登録商標）不織布（品番１４４３Ｒ）（坪量範囲：４１．０ｇ／ｍ2〜４５．０ｇ／ｍ2、厚み範囲：０．０８０ｍｍ〜０．２００ｍｍ、引き裂き強さ範囲：９．８Ｎ／５ｃｍ〜２２．５Ｎ／５ｃｍ）を用いた以外は、実施例１と同様にしてゼッケンを得た。実施例１の場合と同様に、バーコードおよびＱＲコード（登録商標）の境界はクリアでにじみもなく、容易に光学機器による検出が可能な画像が形成された。また、色調・明度も優れていた。
【００３６】
（比較例１）
Ｅ．Ｉ．デュポン製Ｔｙｖｅｋ（登録商標）不織布（品番１０５６Ｄ）を、２４５ｍｍ×２８０ｍｍに切断した。実施例１と同一のデジタルデータを、市販のインクジェットプリンタ（キャノン社製:PIXUS455iプリンター用）および紫外線硬化型ではないインク（インク：品番ＢＣＩ−２４カラー及びＢＣＩ−２４黒）を用いて、不織布に印刷し、各ランナーごとにカスタマイズされたゼッケンを得た。
得られたゼッケンのうちの１つのバーコードおよびＱＲコード（登録商標）部分の拡大写真を図４に示す。図４に示されるとおり、バーコードおよびＱＲコード（登録商標）の境界はぼやけて、部位よっては隣接するバーが分離されておらず、光学機器による検出が不可能であって。また、色調・明度も実施例１及び２で得られたゼッケンと比較して明らかに劣っていた。
【図１】
2010214636.tif 000003
【図２】
2010214636.tif 000004
【図３】
2010214636.tif 000005
【図４】
2010214636.tif 000006